(57)【要約】【課題】スライド体を備えるリッド付のアームレストにおいてスライド体が意図しない誤作動を生じず操作性の改善が図られたアームレストのスライド体ロック機構とする。【解決手段】アームレスト１０またはリッド２０の回動を感知して、アームレスト１０またはリッド２０の回動角度のうち予め設定された第１角度領域θ１において収容位置５０Ａにおけるテーブル５０（スライド体）に対してカム溝体と揺動軸（プッシュオープン機構）が働かない状態にする第１回転体８１と第１ストッパ４１（第１重力感知ロック機構）と、予め設定された第２角度領域θ２において使用位置５０Ｂにおけるテーブル５０を収容位置５０Ａへのスライド移動を規制する第２回転体８２と第２ストッパ（第２重力感知ロック機構）と、を有する。【選択図】図１９
2019077272.tif 000002
【特許請求の範囲】
【請求項１】
シートバックに沿って起立した起立位置とシート座面に向かって倒伏した倒伏位置との間を回動可能なアームレストに組み付けられると共に、前記アームレストの回動方向と同方向に回動することで前記アームレストに設けられた物入れのための収納凹部の開口を開閉可能とするリッドと、
前記リッドに組み付けられると共に前記リッド内に収容される収容位置と前記リッドから露出される使用位置との間をスライド移動して切り替えられるスライド体と、
前記収容位置のスライド体をスライド方向に押し込むことで前記収容位置に保持された状態が解除されて使用位置へ移動可能に切り替えるプッシュオープン機構と、
前記アームレストまたは前記リッドの回動を感知して、前記アームレストまたは前記リッドの回動角度のうち予め設定された第１角度領域において前記収容位置における前記スライド体に対して前記プッシュオープン機構が働かない状態にする第１重力感知ロック機構と、
前記アームレストまたは前記リッドの回動を感知して、前記アームレストまたは前記リッドの回動角度のうち予め設定された第２角度領域において前記使用位置における前記スライド体を収容位置へのスライド移動を規制する第２重力感知ロック機構と、を有するアームレストのスライド体ロック機構。
【発明の詳細な説明】
【技術分野】
【０００１】
本発明は、アームレストのスライド体ロック機構に関する。
【背景技術】
【０００２】
従来、シートバックに沿って起立した起立位置とシート座面に向かって倒伏した倒伏位置との間を回動可能なアームレストが知られている（例えば、特許文献１）。係る特許文献１におけるアームレストは、物入れのための収納凹部の開口を開閉可能とするリッドを有している。係るリッドは、アームレストの回動方向と同方向に回動することで開閉する。ここで、リッドには、テーブル等のスライド体を備える態様がある。係るテーブルは、リッド内に収容される収容位置とリッドから露出される使用位置との間をスライド移動して切り替えられる。ここで、テーブル等のスライド体は、プッシュオープン機構によって収容位置に保持されている態様がある。
【先行技術文献】
【特許文献】
【０００３】
【特許文献１】特開２０１６−９７６９０号公報
【発明の概要】
【発明が解決しようとする課題】
【０００４】
しかしながら、テーブル等のスライド体は、使用位置の状態のままアームレストを倒伏位置から起立位置に回動すると自重によって収容位置に向かってスライド移動してしまうおそれがあった。すなわち再びアームレストを倒伏位置に戻した場合に意図しないでテーブルが収容位置となる誤作動が生じ得る。また、テーブル等のスライド体を収容位置に収容した状態でアームレストを起立位置にさせたり、リッドを開けたりすると、テーブルの自重によってプッシュオープン機構が解除されてしまうおそれがあり、意図しないでテーブルが使用位置となる誤作動が生じ得る。また、テーブル等のスライド体を収容位置に収容した状態でリッドを開けようとする際にテーブルに触れてしまいプッシュオープン機構が解除されてしまうおそれがあり、意図しない誤作動が生じ得る。以上のことから、テーブル等のスライド体を備えるリッド付のアームレストにおいて操作性の更なる改善が望まれている。
【０００５】
本発明は、このような点に鑑みて創案されたものであり、本発明が解決しようとする課題は、スライド体を備えるリッド付のアームレストにおいてスライド体が意図しない誤作動を生じず操作性の改善が図られたアームレストのスライド体ロック機構とすることにある。
【課題を解決するための手段】
【０００６】
上記課題を解決するアームレストのスライド体ロック機構は、シートバックに沿って起立した起立位置とシート座面に向かって倒伏した倒伏位置との間を回動可能なアームレストに組み付けられると共に、前記アームレストの回動方向と同方向に回動することで前記アームレストに設けられた物入れのための収納凹部の開口を開閉可能とするリッドと、前記リッドに組み付けられると共に前記リッド内に収容される収容位置と前記リッドから露出される使用位置との間をスライド移動して切り替えられるスライド体と、前記収容位置のスライド体をスライド方向に押し込むことで前記収容位置に保持された状態が解除されて使用位置へ移動可能に切り替えるプッシュオープン機構と、前記アームレストまたは前記リッドの回動を感知して、前記アームレストまたは前記リッドの回動角度のうち予め設定された第１角度領域において前記収容位置における前記スライド体に対して前記プッシュオープン機構が働かない状態にする第１重力感知ロック機構と、前記アームレストまたは前記リッドの回動を感知して、前記アームレストまたは前記リッドの回動角度のうち予め設定された第２角度領域において前記使用位置における前記スライド体を収容位置へのスライド移動を規制する第２重力感知ロック機構と、を有する。
【０００７】
この構成によれば、アームレストまたはリッドの回動を感知して、アームレストまたはリッドの回動角度のうち予め設定された第１角度領域において収容位置におけるスライド体に対してプッシュオープン機構が働かない状態にする第１重力感知ロック機構と、アームレストまたはリッドの回動を感知して、アームレストまたはリッドの回動角度のうち予め設定された第２角度領域において使用位置におけるスライド体を収容位置へのスライド移動を規制する第２重力感知ロック機構と、を有する。そのため、スライド体を備えるリッド付のアームレストにおいてスライド体が意図しない誤作動を生じず操作性の改善が図られたアームレストのスライド体ロック機構とすることができる。
【発明の効果】
【０００８】
本発明は上記各発明の手段をとることにより、スライド体を備えるリッド付のアームレストにおいてスライド体が意図しない誤作動を生じず操作性の改善が図られたアームレストのスライド体ロック機構とすることができる。
【図面の簡単な説明】
【０００９】
【図１】実施形態に係るアームレストがシートバックに沿って起立した起立位置の状態を示した全体斜視図である。
【図２】同アームレストがシート座面に向かって倒伏した倒伏位置の状態を示した全体斜視図である。
【図３】倒伏位置のアームレストにおいてリッドを回動して収納凹部を開けた状態を示した全体斜視図である。
【図４】倒伏位置のアームレストにおいてテーブルをリッドから露出した使用位置とする状態を示した全体斜視図である。
【図５】リッドに組み付けられるテーブル組立を示した斜視図である。
【図６】テーブル組立の分解斜視図である。
【図７】テーブル組立におけるテーブルの分解斜視図である。
【図８】テーブル組立における下部フレームの分解斜視図である。
【図９】プッシュオープン機構の動きを拡大して示した概略断面図である。
【図１０】リッド閉状態を示した断面図である。
【図１１】テーブル組立の第１重力感知ロック機構が最小ロック作動角であるときのリッドの回動角度を示した断面図である。
【図１２】テーブル組立の第１重力感知ロック機構が最大ロック作動角であるときのリッドの回動角度を示した断面図である。
【図１３】リッド開状態を示した断面図である。
【図１４】アームレストが倒伏位置に位置する状態を示した断面図である。
【図１５】テーブル組立の第１重力感知ロック機構が最小ロック作動角であるときのアームレストの回動角度を示した断面図である。
【図１６】テーブル組立の第１重力感知ロック機構が最大ロック作動角であるときのアームレストの回動角度を示した断面図である。
【図１７】テーブル組立の第２重力感知ロック機構が最小ロック作動角であるときのアームレストの回動角度を示した断面図である。
【図１８】テーブル組立の第２重力感知ロック機構が最大ロック作動角であるときのアームレストの回動角度を示した断面図である。
【図１９】アームレストが起立位置に位置する状態を示した断面図である。
【図２０】第１重力感知ロック機構の動きを拡大して示した概略断面図である。
【図２１】第２重力感知ロック機構を動きを拡大して示した概略断面図である。
【発明を実施するための形態】
【００１０】
以下に、本発明の実施形態について、図１〜２１を用いて説明する。なお、本実施形態では、車両におけるリアシート１のセンターアームレストを例示して説明する。各図に適宜矢印で示す方向は、リアシート１に着座した着座者から見た前、後、上、下、左、右とそれぞれ一致する方向である。
【００１１】
本実施形態におけるアームレスト１０は、図１、２に示すように車両のリアシート１の車両幅方向中央においてシートバック２のフレーム（不図示）に回動可能に設けられており、シートバック２に沿って起立した起立位置１０Ｂとシート座面に向かって倒伏した倒伏位置１０Ａとの間を切り替えることができる。なお、アームレスト１０は、シートバック２のフレームと連結されることで回動可能とする構成を示すが、シートクッションのフレームや、車両のボディ等の車両構成部材に回動可能な構成であってもよい。
【００１２】
図１に示すようにアームレスト１０が起立位置１０Ｂの状態においては、シートバック２の背凭れ面の一部として機能する。一方、図２に示すようにアームレスト１０が倒伏位置１０Ａの状態においては、着座者が腕を載せることができる。また、図３に示すように、アームレスト１０には、物入れのための収納凹部１４が設けられており、その収納凹部１４の上部の開口１６を開閉可能とするリッド２０が設けられている。これにより、リッド２０をリッド開状態２０Ｂとして収納凹部１４に物を収納したり、リッド２０をリッド閉状態２０Ａ（図２参照）にしてその上面に腕を載せたりすることができる。更に、図４に示すように、リッド２０には、テーブル５０（スライド体）が組付けられている。テーブル５０は、リッド２０内に収容された収容位置５０Ａ（図１４参照）と、その前方にスライド移動することでリッド２０から露出される使用位置５０Ｂとに切り替え可能に構成される。このテーブル５０を使用位置５０Ｂにすることで、腕を載せた状態で物を置くことが容易となり得る。なお、本実施形態ではスライド体の一態様としてテーブル５０を例示するが、この他にもスライド体としてカップホルダー、トレー等、リッドに組み付けることができるものであれば種々適用できる。
【００１３】
図５にはリッド２０内に組付けられるテーブル組立３０の全体斜視図が示されている。図６に示されるように、テーブル組立３０は、上方と前方が開口された箱型の下部フレーム３４と、下部フレーム３４の上方の開口を覆う上部フレーム３２と、上部フレーム３２と下部フレーム３４の間にスライドレール３６を介してテーブル５０（スライド体）が設けられている。スライドレール３６は、車両前後方向に延びる長尺状の部材であり下部フレーム３４の幅方向中央にロアレール３６Ｌが固定される。ロアレール３６Ｌのレール長手方向にスライド移動可能となるようにアッパレール３６Ｕが嵌め込まれる。アッパレール３６Ｕには、テーブル５０（スライド体）が連結される。これにより、テーブル５０（スライド体）は、リッド２０内に収容された収容位置５０Ａ（図１４参照）とリッド２０から露出される使用位置５０Ｂ（図１４参照）との間をスライド移動可能に構成される。また、テーブル５０（スライド体）と下部フレーム３４の間には定荷重ばね９０が設けられている。定荷重ばね９０は、金属製の帯部材が軸状部材に巻き付けられており先端部が引き出されることで帯部材の長手方向に付勢力を発生させるばねである。定荷重ばね９０は、軸状部材がテーブル５０（スライド体）の後端に取り付けられ、帯部材の先端が下部フレーム３４の前端に係止される。すなわち、定荷重ばね９０の軸状部材に金属製の帯部材がすべて巻き込まれた状態では、テーブル５０（スライド体）の後端と下部フレーム３４の前端が近接した使用位置５０Ｂとなる。これにより、テーブル５０（スライド体）は、定荷重ばね９０によって、収容位置５０Ａから使用位置５０Ｂに向かう方向に付勢されている。また、テーブル組立３０は、リッド２０内に組み付けられると共に孔部３８においてアームレスト１０のフレーム（不図示）に軸支される。これにより、リッド２０は、アームレスト１０と同方向に回動可能となる。
【００１４】
図７に示すように、テーブル５０（スライド体）は、板状のテーブルフレーム５２の上面のうち略前半部分の領域に意匠板５４が固定されている。テーブルフレーム５２の幅方向左側の後方には、ギアダンパ６０が嵌め込まれている。テーブルフレーム５２の幅方向左側における下面側にはカム溝体７０（プッシュオープン機構）が固定されている。テーブルフレーム５２の後端には、クッション体５６が張り付けられている。テーブルフレーム５２の幅方向左側の後方には、第１回転体８１（第１重力感知ロック機構）が前後方向に回動可能に枢支されている。第１回転体８１は、略扇状の形をしており、偏芯した位置に回動中心８１Ｃを有しており、その回動中心８１Ｃより下方側におもり８１Ｄが設けられている。そのため、第１回転体８１は、回動中心８１Ｃの鉛直下方におもり８１Ｄが来るように回動する。第１回転体８１の前方側には、第２回転体８２（第２重力感知ロック機構）が前後方向に回動可能に枢支されている。第２回転体８２は、略扇状の形をしており、偏芯した位置に回動中心８２Ｃを有しており、その回動中心８２Ｃより下方側に幅方向に張り出した張出片８２Ｄが設けられている。そのため、第２回転体８２は、回動中心８２Ｃの鉛直下方に張出片８２Ｄの中心が来るように回動する。
【００１５】
図８に示すように、下部フレーム３４は、上方と前方が開口された箱型に形成されている。下部フレーム３４の幅方向左側の側壁に沿ってラック６２が固定されている。ラック６２は直線状の棒状部材であり、長手方向に直線ギア部が設けられている。ラック６２は、ギアダンパ６０（図７参照）と対応した位置に取付けられておりギアダンパ６０と噛み合う。これにより、ギアダンパ６０は、ラック６２と噛み合うことにより、テーブル５０（図６参照）が定荷重ばね９０（図６参照）の付勢によって収容位置５０Ａ（図１４参照）から使用位置５０Ｂ（図１４参照）へスライドする際にスライド移動の速度を減衰させるために機能する。下部フレーム３４の後壁の幅方向右側には、厚み方向に貫通した開口が設けられている。この開口の上部が第１回転体８１の移動を規制する第１ストッパ４１（第１重力感知ロック機構）として機能する。下部フレーム３４の幅方向右側の側壁には、板面を切り起こした板片を有している。この板片が第２回転体８２の移動を規制する第２ストッパ４２（第２重力感知ロック機構）として機能する。また、下部フレーム３４の幅方向左側のうちカム溝体７０（プッシュオープン機構）に対応する位置には、揺動軸７２（プッシュオープン機構）が設けられている。
【００１６】
図９に示すように、カム溝体７０及び揺動軸７２（プッシュオープン機構）は、収容位置５０Ａ（図１４参照）のテーブル５０をスライド方向後方に押し込むことで収容位置５０Ａに保持された状態が解除されて使用位置５０Ｂ（図１４参照）へ移動可能に切り替える機構である。揺動軸７２は、上方に突き出した軸が左右方向に揺動してカム溝体７０のカム溝と係り合う構成である。カム溝体７０は、略中央にハート状のハートカム７３とそのハートカム７３を囲むように壁面７４を有する。このハートカム７３と壁面７４の間が揺動軸７２の軸が通過する。ここで、揺動軸７２は、ハートカム７３と壁面７４によるカム溝を一方向にのみ移動が可能となっており、ハートカム７３に保持された状態においてテーブル５０を収容位置５０Ａに保持するようになっている。一方、テーブル５０をスライド方向後方に押し込むと揺動軸７２がハートカム７３から離脱するため、カム溝体７０と揺動軸７２が離間可能となる。これにより、テーブル５０が使用位置５０Ｂへスライド移動可能となる。
【００１７】
次に本実施形態のアームレスト１０のテーブル５０（スライド体）の作動内容について説明する。
【００１８】
＜リッド２０の回動に伴うテーブル５０の作動内容：図１０〜１３、２０＞
【００１９】
図１０、２０に示すように、リッド閉状態２０Ａでは、第１回転体８１の外周面は第１ストッパ４１に係合しないでその下の開口に進入可能な状態である。
【００２０】
図１１、２０に示すように、リッド２０を解錠操作して、リッド閉状態２０Ａからリッド第１位置２０Ａ１までリッド第１角度α１だけ回動させる。このとき、第１回転体８１は、回動中心８１Ｃの鉛直下方の位置におもり８１Ｄが位置するよう維持するように独立して回動する。そうすると、第１回転体８１の外周面が第１ストッパ４１に当接可能な状態となる。そのため、テーブル５０をスライド方向後方に押し込んでもスライドしないため、カム溝体７０（図９参照）のハートカム７３（図９参照）から揺動軸７２（図９参照）が離脱しない（プッシュオープン機構が働かない状態）。そのため、テーブル５０（スライド体）は収容位置５０Ａが維持される。なおリッド第１角度α１は、第１回転体８１及び第１ストッパ４１（第１重力感知ロック機構）の最小ロック作動角度である。
【００２１】
図１２、２０に示すように、さらにリッド２０をリッド第２角度α２まで回動させてリッド第１位置２０Ａ１からリッド第２位置２０Ａ２とする。このとき、第１回転体８１は、回動中心８１Ｃの鉛直下方の位置におもり８１Ｄが位置するよう維持するように独立して回動しつつ、テーブル５０（スライド体）のテーブルフレーム５２に当接する。第１回転体８１の外周面は、図１１と同様に第１ストッパ４１と当接可能な状態である。そのため、テーブル５０をスライド方向後方に押し込んでもスライドしないため、カム溝体７０（図９参照）のハートカム７３（図９参照）から揺動軸７２（図９参照）が離脱しない（プッシュオープン機構が働かない状態）状態を維持している。なおリッド第２角度α２は、第１回転体８１及び第１ストッパ４１（第１重力感知ロック機構）の最大ロック作動角度である。
【００２２】
図１３、２０に示すように、さらにリッド２０をリッド第３角度α３まで回動させてリッド第２位置２０Ａ２からリッド開状態２０Ｂとする。このとき、第１回転体８１は、テーブル５０（スライド体）のテーブルフレーム５２に当接した状態でリッド２０とともに回動する。第１回転体８１の外周面は、図１１と同様に第１ストッパ４１と当接可能な状態である。そのため、テーブル５０をスライド方向後方に押し込んでもスライドしないため、カム溝体７０（図９参照）のハートカム７３（図９参照）から揺動軸７２（図９参照）が離脱しない（プッシュオープン機構が働かない状態）状態を維持している。なお、リッド第１位置２０Ａ１とリッド開状態２０Ｂの間の角度が、リッド２０の回動角度のうち予め設定された第１角度領域θ１であり、この第１角度領域θ１の領域においては、第１回転体８１と第１ストッパ４１（第１重力感知ロック機構）が係り合うため、収容位置５０Ａにおけるテーブル５０に対してプッシュオープン機構が働かない状態にする。
【００２３】
＜アームレスト１０の回動に伴うテーブル５０の作動内容：図１４〜１９、２０、２１＞
図１４〜図１９においては、テーブル５０（スライド体）の収容位置５０Ａの状態を実線で示し、使用位置５０Ｂを仮想線で示している。
【００２４】
図１４、２０、２１に示すように、倒伏位置１０Ａでは、第１回転体８１の外周面は第１ストッパ４１に係合しないでその下の開口に進入可能な状態である。また、第２回転体８２の張出片８２Ｄは第２ストッパ４２に係合しない状態である。そのため、テーブル５０（スライド体）は、収容位置５０Ａと使用位置５０Ｂのいずれの位置にも操作可能な状態である。
【００２５】
図１５、２０、２１に示すように、アームレスト１０をアームレスト第１角度β１まで回動して倒伏位置１０Ａからアームレスト第１位置１０Ａ１に移動させる。このとき、第１回転体８１は、回動中心８１Ｃの鉛直下方の位置におもり８１Ｄが位置するよう維持するように独立して回動する。そうすると、第１回転体８１の外周面が第１ストッパ４１に当接可能な状態となる。そのため、収容位置５０Ａにおけるテーブル５０は、スライド方向後方に押し込んでもスライドしないため、カム溝体７０（図９参照）のハートカム７３（図９参照）から揺動軸７２（図９参照）が離脱しない（プッシュオープン機構が働かない状態）。なおリッドアームレスト第１角度β１は、第１回転体８１及び第１ストッパ４１（第１重力感知ロック機構）の最小ロック作動角度であり、第１角度α１と同様の角度である。また、アームレスト第１位置１０Ａ１では、第２回転体８２は第２ストッパ４２と係合しない位置関係であるため、使用位置５０Ｂにおけるテーブル５０（スライド体）は、収容位置５０Ａにスライド可能であるが、テーブル５０の自重よりも定荷重ばね９０の付勢が勝ることで使用位置５０Ｂの位置を保持する。
【００２６】
図１６、２０、２１に示すように、さらにアームレスト１０をアームレスト第２角度β２まで回動させてアームレスト第１位置１０Ａ１からアームレスト第２位置１０Ａ２に移動させる。このとき、第１回転体８１は、回動中心８１Ｃの鉛直下方の位置におもり８１Ｄが位置するよう維持するように独立して回動しつつ、テーブル５０（スライド体）のテーブルフレーム５２に当接する。第１回転体８１の外周面は、図１５と同様に第１ストッパ４１と当接可能な状態である。そのため、収容位置５０Ａにおけるテーブル５０をスライド方向後方に押し込んでもスライドしないため、カム溝体７０（図９参照）のハートカム７３（図９参照）から揺動軸７２（図９参照）が離脱しない（プッシュオープン機構が働かない状態）状態を維持している。なおアームレスト第２角度β２は、第１回転体８１及び第１ストッパ４１（第１重力感知ロック機構）の最大ロック作動角度であり、リッド第２角度α２と同様の角度である。また、アームレスト第２位置１０Ａ２では、第２回転体８２は第２ストッパ４２と係合しない位置関係であるため、使用位置５０Ｂにおけるテーブル５０（スライド体）は、収容位置５０Ａにスライド可能であるが、テーブル５０の自重よりも定荷重ばね９０の付勢が勝ることで使用位置５０Ｂの位置を保持する。なお、図１９に示すように、アームレスト第１位置１０Ａ１と起立位置１０Ｂの間の角度が、アームレスト１０の回動角度のうち予め設定された第１角度領域θ１である。この第１角度領域θ１の領域においては、第１回転体８１と第１ストッパ４１（第１重力感知ロック機構）が係り合うため、収容位置５０Ａにおけるテーブル５０に対してプッシュオープン機構が働かない状態にする。なお、リッド２０の最大回動角度とアームレスト１０の最大回動角度は必ずしも一致しない場合があるが、プッシュオープン機構を働かない状態にする予め設定された角度としての第１角度領域θ１は実質的に同じである。
【００２７】
図１７、２０、２１に示すように、さらにアームレスト１０をアームレスト第３角度β３まで回動させてアームレスト第２位置１０Ａ２からアームレスト第３位置１０Ａ３に移動させる。このとき、第１回転体８１は、テーブル５０（スライド体）のテーブルフレーム５２に当接した状態でアームレスト１０とともに回動する。第１回転体８１の外周面は、図１５と同様に第１ストッパ４１と当接可能な状態である。そのため、収容位置５０Ａにおけるテーブル５０をスライド方向後方に押し込んでもスライドしないため、カム溝体７０（図９参照）のハートカム７３（図９参照）から揺動軸７２（図９参照）が離脱しない（プッシュオープン機構が働かない状態）状態を維持している。また、アームレスト第３位置１０Ａ３では、第２回転体８２は第２ストッパ４２と係合する位置関係となる。そのため、テーブル５０（スライド体）は、使用位置５０Ｂから収容位置５０Ａへのスライド移動が規制される。なおアームレスト第３角度β３は、第２回転体８２及び第２ストッパ４２（第２重力感知ロック機構）の最小ロック作動角度である。
【００２８】
図１８、２０、２１に示すように、さらにアームレスト１０をアームレスト第４角度β４まで回動させてアームレスト第３位置１０Ａ３からアームレスト第４位置１０Ａ４に移動させる。このとき、第１回転体８１は、テーブル５０（スライド体）のテーブルフレーム５２に当接した状態でアームレスト１０とともに回動する。第１回転体８１の外周面は、図１５と同様に第１ストッパ４１と当接可能な状態である。そのため、収容位置５０Ａにおけるテーブル５０をスライド方向後方に押し込んでもスライドしないため、カム溝体７０（図９参照）のハートカム７３（図９参照）から揺動軸７２（図９参照）が離脱しない（プッシュオープン機構が働かない状態）状態を維持している。また、アームレスト第４位置１０Ａ４では、第２回転体８２は第２ストッパ４２と係合する位置関係となる。そのため、テーブル５０（スライド体）は、使用位置５０Ｂから収容位置５０Ａへのスライド移動が規制される。なおアームレスト第４角度β４は、第２回転体８２及び第２ストッパ４２（第２重力感知ロック機構）の最大ロック作動角度である。
【００２９】
図１９、２０、２１に示すように、さらにアームレスト１０をアームレスト第５角度β５まで回動させてアームレスト第４位置１０Ａ４から起立位置１０Ｂに移動させる。このとき、第１回転体８１は、テーブル５０（スライド体）のテーブルフレーム５２に当接した状態でアームレスト１０とともに回動する。第１回転体８１の外周面は、図１１と同様に第１ストッパ４１と当接可能な状態である。そのため、収容位置５０Ａにおけるテーブル５０をスライド方向後方に押し込んでもスライドしないため、カム溝体７０（図９参照）のハートカム７３（図９参照）から揺動軸７２（図９参照）が離脱しない（プッシュオープン機構が働かない状態）状態を維持している。また、起立位置１０Ｂでは、第２回転体８２は第２ストッパ４２と係合する位置関係となる。そのため、テーブル５０（スライド体）は、使用位置５０Ｂから収容位置５０Ａへのスライド移動が規制される。なお、アームレスト第３位置１０Ａ３と起立位置１０Ｂの間の角度が、アームレスト１０の回動角度のうち予め設定された第２角度領域θ２であり、この第２角度領域θ２の領域においては、第２回転体８２と第２ストッパ４２（第２重力感知ロック機構）と係合する位置関係となる。そのため、テーブル５０（スライド体）は、使用位置５０Ｂから収容位置５０Ａへのスライド移動が規制される。
【００３０】
このように、本実施形態のアームレストのスライド体ロック機構によれば、アームレスト１０またはリッド２０の回動を感知して、アームレスト１０またはリッド２０の回動角度のうち予め設定された第１角度領域θ１において収容位置５０Ａにおけるテーブル５０（スライド体）に対してカム溝体７０と揺動軸７２（プッシュオープン機構）が働かない状態にする第１回転体８１と第１ストッパ４１（第１重力感知ロック機構）を有する。また、アームレスト１０またはリッド２０の回動を感知して、アームレスト１０またはリッド２０の回動角度のうち予め設定された第２角度領域θ２において使用位置５０Ｂにおけるテーブル５０（スライド体）を収容位置５０Ａへのスライド移動を規制する第２回転体８２と第２ストッパ４２（第２重力感知ロック機構）を有する。そのため、テーブル５０（スライド体）は、使用位置５０Ｂの状態のままアームレスト１０を倒伏位置１０Ａから起立位置１０Ｂに回動しても、テーブル５０の自重によって収容位置５０Ａに向かってスライド移動してしまうことがない。そのため、再びアームレスト１０を倒伏位置１０Ａに戻した場合でも、意図しないでテーブル５０が収容位置５０Ａとなる誤作動を防ぎ得る。
【００３１】
また、テーブル５０（スライド体）を収容位置５０Ａに収容した状態でアームレスト１０を起立位置１０Ｂにさせたり、リッド２０をリッド開状態２０Ｂにしても、テーブル５０の自重によってカム溝体７０及び揺動軸７２（プッシュオープン機構）の機構が解除されてしまうことを防ぎ得る。そのため、意図しないでテーブル５０が使用位置５０Ｂとなる誤作動を防ぎ得る。
【００３２】
また、テーブル５０（スライド体）を収容位置５０Ａに収容した状態でリッド２０を開けようとする際にテーブル５０に触れてしまいカム溝体７０及び揺動軸７２（プッシュオープン機構）の機構が解除されてしまうことを防ぎ得る。そのため、意図しないでテーブル５０が使用位置５０Ｂとなる誤作動を防ぎ得る。
【００３３】
以上より、テーブル５０（スライド体）を備えるリッド２０を備えるアームレスト１０においてテーブル５０が意図しない誤作動を生じず操作性の改善が図られる。
【００３４】
以上、本発明の実施形態について説明したが、本発明はかかる実施形態に限定されず、その他各種の形態で実施することができるものである。例えば、本実施形態では、車両におけるリアシート１のセンターアームレストを例示して説明したがこれに限定されず、１列目、２列目の座席間のアームレストであってもよい。また、センターアームレストに限定されず、例えば座席の幅方向外方にここに設けられるアームレストであってもよい。また、テーブル５０（スライド体）は、定荷重ばね９０で付勢される態様を示したが、手動でスライドさせるものにも適用できる。
【符号の説明】
【００３５】
１        リアシート
２        シートバック
１０      アームレスト
１０Ａ    倒伏位置
１０Ａ１  アームレスト第１位置
１０Ａ２  アームレスト第２位置
１０Ａ３  アームレスト第３位置
１０Ａ４  アームレスト第４位置
１０Ｂ    起立位置
β１      アームレスト第１角度
β２      アームレスト第２角度
β３      アームレスト第３角度
β４      アームレスト第４角度
β５      アームレスト第５角度
１４      収納凹部
１６      開口
２０      リッド
２０Ａ    リッド閉状態
２０Ａ１  リッド第１位置
２０Ａ２  リッド第２位置
２０Ｂ    リッド開状態
α１      リッド第１角度
α２      リッド第２角度
α３      リッド第３角度
３０      テーブル組立
３２      上部フレーム
３４      下部フレーム
３６      スライドレール
３６Ｌ    ロアレール
３６Ｕ    アッパレール
３８      孔部
４１      第１ストッパ（第１重力感知ロック機構）
４２      第２ストッパ（第２重力感知ロック機構）
５０      テーブル（スライド体）
５０Ａ    収容位置
５０Ｂ    使用位置
５２      テーブルフレーム
５４      意匠板
５６      クッション体
６０      ギアダンパ
６２      ラック
７０      カム溝体（プッシュオープン機構）
７２      揺動軸（プッシュオープン機構）
７３      ハートカム
７４      壁面
８１      第１回転体（第１重力感知ロック機構）
８１Ｃ    回動中心
８１Ｄ    おもり
８２      第２回転体（第２重力感知ロック機構）
８２Ｃ    回動中心
８２Ｄ    張出片
９０      定荷重ばね
θ１      第１角度領域
θ２      第２角度領域
【図１】
2019077272.tif 000003
【図２】
2019077272.tif 000004
【図３】
2019077272.tif 000005
【図４】
2019077272.tif 000006
【図５】
2019077272.tif 000007
【図６】
2019077272.tif 000008
【図７】
2019077272.tif 000009
【図８】
2019077272.tif 000010
【図９】
2019077272.tif 000011
【図１０】
2019077272.tif 000012
【図１１】
2019077272.tif 000013
【図１２】
2019077272.tif 000014
【図１３】
2019077272.tif 000015
【図１４】
2019077272.tif 000016
【図１５】
2019077272.tif 000017
【図１６】
2019077272.tif 000018
【図１７】
2019077272.tif 000019
【図１８】
2019077272.tif 000020
【図１９】
2019077272.tif 000021
【図２０】
2019077272.tif 000022
【図２１】
2019077272.tif 000023